(57)【要約】【課題】記録再生する光ヘッドの開口数が大きくなると、基材の厚み誤差によって生じる球面収差の影響が大きくなり、球面収差の補正値を最適化するために時間がかかり、記録再生装置の起動時間が長くなるという課題があった。【解決手段】基材の厚みが不明な情報記録媒体に対して、基材の厚み差によって生じる球面収差が発生しても、基材の厚み情報が検出可能な情報記録媒体を提供し、記録再生装置の球面収差補正時間を短縮する方法を提供する。球面収差がずれた状態でも検出できる手段で基材の厚み情報を記録しておくことで、記録再生装置が球面収差補正を行う上での指針となり、最適化までの時間を短縮できる。【選択図】図１
2007213624.tif 000002
【特許請求の範囲】
【請求項１】
情報を記録再生する光の波長で略透明の基材を通して情報を記録あるいは再生する、少なくとも１層の情報記録層を有する光情報記録媒体であり、前記基材の厚みを示す情報が記録され前記情報記録層を有する光情報記録媒体。
【請求項２】
前記基材の厚みを示す情報が記録された前記情報記録層が、前記基材表面から最も遠いもしくは最も近い情報記録層であることを特徴とする請求項１に記載の光情報記録媒体。
【請求項３】
前記基材の厚みを示す情報が、前記基材表面から、前記基材の厚みを示す情報が記録された前記情報記録層までの厚みである請求項１または２に記載の光情報記録媒体。
【請求項４】
前記基材の厚みを記録する手段の情報記録密度が、情報記録層の他の領域より低いことを特徴とする請求項１から３のいずれか一項に記載の光情報記録媒体。
【請求項５】
前記基材の厚みを記録する手段として、前記情報記録層にバーコード状マークで記録された請求項１から４のいずれか一項に記載の光情報記録媒体。
【請求項６】
前記基材の厚みが０．１ｍｍもしくはそれよりも薄いことを特徴とする請求項１から５のいずれか一項に記載の光情報記録媒体。
【請求項７】
情報を記録再生する光を前記基材を通して照射する際、前記情報を記録再生する光を開口数が０．８以上のレンズを通して照射して情報を記録再生される請求項１から６のいずれか一項に記載の光情報記録媒体。
【請求項８】
情報記録媒体に記録された基材厚の情報に従って、記録再生手段の球面収差補正値を知る情報記録再生装置。
【請求項９】
光情報記録媒体に記録された基材厚の情報によって、記録再生手段の球面収差補正の初期値を設定し、記録再生によって学習を行うことによって球面収差補正の最適値を求める請求項８記載の情報記録再生装置。
【発明の詳細な説明】
【技術分野】
【０００１】
本発明は、少なくとも１つの情報記録層を有する光ディスクであり、記録あるいは再生するディスクに関する。
【０００２】
また、そのディスクを用いて、情報を記録再生する装置に関する。
【背景技術】
【０００３】
従来、ＣＤあるいはＤＶＤにおいて、記録再生光を照射する際のレンズの開口数は小さく、ＣＤより大きいＤＶＤでも０．６であった。これによって、記録再生光を入射させる基材の厚みの精度がデザインされ、ＤＶＤでは、単層ディスクで０．６±０．０３ｍｍと規定されている。逆に、情報を記録すべき情報記録層までの基材厚みは、この範囲を超えると信号が劣化し、記録再生の精度が低下する。
【０００４】
昨今では、ＤＶＤよりもさらに高密度な光ディスクの開発がなされており、光を通す基材の厚みもＤＶＤでの０．６ｍｍから、さらに薄い約０．１ｍｍとする検討がなされ、記録型のＢｌｕ−ｒａｙ  Ｄｉｓｃ（ＢＤ）が発売されている。
【０００５】
基材の厚みを０．１ｍｍと薄くすることで、レンズの開口数を、ＤＶＤより大きい０．８５とすることで、集光される記録再生光を小さく絞り込むと同時に、基材が薄いことによって、チルトに対する収差の発生を抑制し、ＤＶＤとほぼ同じチルトに対するマージンを確保している。
【特許文献１】特開２０００−７６７０５号公報
【発明の開示】
【発明が解決しようとする課題】
【０００６】
しかしながら、基材厚を０．１ｍｍと薄くすると、厚みの変化で発生する球面収差の影響が大きくなる。
【０００７】
そのため、記録再生を行う光学ヘッドには、球面収差を補正する機構が採用されている。これによって、基材厚が変化しても、光学ヘッドは、球面収差を補正することで、良好な記録再生機能が確保できる。
【０００８】
ディスクの一回転内で、動的に追従することは容易でないが、特に、ディスク間毎の平均的厚みのずれに対しては、初期に球面収差を補正しておくことで、ディスク面内での良好な記録再生が可能となる。
【０００９】
しかし、球面収差を補正するには、その最適値を検出するために、トラッキングエラー信号や、記録再生信号を検出しながら学習する必要があり、最適化に時間を有するため、ディスクを記録再生手段に挿入した後、起動するまでに時間が長くかかるという問題がある。
【課題を解決するための手段】
【００１０】
そこで、本発明では、基材厚の情報を媒体に入れておく構成とした。特に、基材厚の情報を記録手段の密度を低くすることで、球面収差がその基材厚にあっていない状態でも情報を認識できる構成とした。
【００１１】
その手段の一例として、従来ＤＶＤで用いられてきたＢＣＡ（バースト  カッティング  エリア）と呼ばれる手段がある。ＢＣＡは、バーコード状のマークを、情報記録層にある反射膜あるいは記録膜を、例えばレーザーで焼ききることによって加工し、媒体のシリアルナンバー等の情報を追記することが可能となっている。例えば、上述の特許文献１にはその加工方法例が記載されている。このＢＣＡマークに、基材厚の情報を入れておくことで、記録再生手段は、基材厚が不明で球面収差補正がずれた情報記録媒体に対しても、基材厚の情報を読み出すことができる。
【発明の効果】
【００１２】
本発明によって、情報の記録再生手段は、情報記録媒体に書かれた基材厚の情報を認識でき、学習の初期値を設定することで、球面収差の補正に有する時間を短縮できる。
【００１３】
特にＢＣＡマークは、記録密度を十分低くしておくことで、球面収差が合っていない状態でも情報を読み出すことが容易になる。
【発明を実施するための最良の形態】
【００１４】
以下、本発明の実施の形態を、図面を参照しながら説明する。
【００１５】
（実施の形態１）
図１は、本発明の実施の形態における光ディスクの構造を示す模式図である。片面にピットにより情報を有した厚さ１．１ｍｍのポリカーボネイト製基板１０１に、情報記録層のＡｌ合金からなる反射膜１０２を積層し、カバー層１０３を積層した構造をとり、カバー層１０３側から情報を再生する。
【００１６】
この光ディスクに、長方形に整形したＹＡＧレーザー（波長１０６４ｎｍ）の光を基板１０１側から反射膜（情報記録層）１０２にパルス照射するとともに、それに同期して回転機構によってディスクを回転させることによって、記録すべき信号によって間隔が変調されたバーコード状のＢＣＡマーク１０４を、反射膜（情報記録層）１０２に形成した。また、ＢＣＡマーク１０４は、光ヘッドで情報記録層に焦点を合わせた状態で情報の読みだしを行われる。
【００１７】
図２は、反射膜（情報記録層）１０２に形成されたＢＣＡマーク１０４の模式図であり、幅約８μｍでストライプ状に形成されている。各マークは、基本の間隔を２８．６μｍとして、その１、２、３、４倍の間隔で形成され、その間隔を変えることで、情報が記録されている。
【００１８】
この方法により、カバー層が１００μｍのディスクＡと、７５μｍのディスクＢを作成した。
【００１９】
このディスクを再生するために、内蔵される光ヘッドには、２枚のレンズからなるビームエキスパンダが内蔵されており、その距離を変えることによって、対物レンズを出射される光の球面収差が補正できる。
【００２０】
両ディスクに対し、波長４０５ｎｍ、開口数（ＮＡ）０．８５の対物レンズを使い、球面収差はカバー層の厚みが１００μｍの場合に最良となる状態でフォーカスをかけ、反射膜（情報信号記録層）１０２のＢＣＡマーク１０４をカバー層１０３通して再生したそれぞれの波形を図３に示す。
【００２１】
ＢＣＡ加工がされている下地には、最短ピット長０．１４９μｍのランダムデータが、トラックピッチ０．３５μｍで記録されている。
【００２２】
ＢＣＡマーク部は、反射膜１０２が焼ききられているため、反射率が低い部分として再生される。
【００２３】
再生する光ヘッドの球面収差が基材厚１００μｍで最適になるよう調整されているため、ディスクＡを再生した場合には、光は反射膜１０２上で最も小さく絞れる状態となる。そのため、下地にあるピットによって反射光量が変調され、ＢＣＡマーク部以外では、大きな強度変化としてピット情報が再生されている。また、ＢＣＡ信号も下地のピット信号に比べ、記録密度が低く、長いマークで記録されているため、長い低反射率の部分として再生され、十分に検出することができる。
【００２４】
しかし、基材厚が７５μｍのディスクＢでは、球面収差によって、反射膜１０２上での光がぼけて大きくなる。そのため、下地にあるピットが、再生光に対して相対的に小さく見え、スポットの中にピットが多く入ってくるために、空間的な周波数特性が低下して強度変調が小さくなっている。
【００２５】
しかしながら、ＢＣＡマーク部は、十分に長いマークのため、ぼけて光が大きく集光された状態でも十分な変調度で再生されており、良好に検出できることが分かる。
【００２６】
このＢＣＡマークの信号として、カバー層の厚み情報を含めておくことにより、この光ディスクを再生するドライブは、ＢＣＡマークから基材厚の情報を検出して、そのディスクに適した球面収差の補正値を、自身が内蔵した設定値から知ることができる。そして、記録された信号の再生品質が最適になるよう、フォーカス、球面収差、チルト等の条件を最適化する。このとき、ディスクの基材厚情報から得られる球面収差の設定値を学習の際の初期値とすることによって、球面収差を最適化するまでの時間を短縮できる。
【００２７】
とくに、ＢＣＡ加工は、カバー層１０３を形成してから記録できるので、カバー層１０３の厚みを測定し、その厚みをＢＣＡに加工することで、各ディスクに最適な値を記録することができる。
【００２８】
なお、本発明の実施の形態では、カバー層１０３の厚みを７５μｍまで薄くしたが、さらに薄いカバー層においても検出可能で、カバー層がない状態のままでもＢＣＡマークは検出できる。
【００２９】
しかし、開口数の大きい対物レンズでは、その作動距離も短くなるため、カバー層の厚くすると作動距離が足りなくなってしまう。そのため、本発明は、カバー層１０３が薄く、開口数が大きい光ディスクシステムに有効である。例えば、カバー層が約０．１ｍｍ、開口数が０．８５であるＢｌｕ−ｒａｙ  Ｄｉｓｃのようなシステムには特に有効である。
【００３０】
また、本発明の実施の形態では、再生専用のディスクを用いたが、録再型や追記型のディスクにおいても同様にＢＣＡのようなマークを情報記録層に形成することによって、同様の効果を得ることができる。
【００３１】
さらに、ＢＣＡのようなマークは、情報記録層上になくとも、カバー層上、もしくはカバー層内にあっても、再生ヘッドで、ＢＣＡと同じく検出できるものであれば、その形成される場所は制限されない。
【００３２】
また、本へ発明の実施の形態では、情報記録層が１つしかない単層ディスクについて述べたが、情報記録法が複数ある情報記録媒体においても有用である。その場合、基材の厚み情報は、最初にフォーカスサーボがかかりやすい、記録再生面側から見て最も遠い情報記録層もしくは最も近い情報記録層におくのが良い。さらに、その記録される厚み情報は、記録再生側表面から、情報が記録されている情報記録層までの厚み情報であることが望ましい。
【００３３】
さらに、本発明を用いることで、基材厚情報が読み出せる範囲で、基材厚を変更することができるため、基材厚を薄くして材料費を減らし、ディスクのコストを下げる効果も得られる。
【産業上の利用可能性】
【００３４】
本発明は、光ディスク等の情報記録媒体で、光を通して情報を記録再生する基材の厚みが薄く、再生する光を大きな開口数で集光されるような情報記録媒体、およびそれを記録再生する記録再生装置で球面収差等の補正行うような記録再生装置に利用できる。特に、基材の厚みがディスク間で異なるような場合に有用に利用できる。
【図面の簡単な説明】
【００３５】
【図１】本発明の光ディスクの模式図
【図２】本発明におけるＢＣＡマークの模式図
【図３】本発明におけるＢＣＡマークの再生信号の模式図
【符号の説明】
【００３６】
１０１    基板
１０２    反射膜
１０３    カバー層
１０４    ＢＣＡマーク
【図１】
2007213624.tif 000003
【図２】
2007213624.tif 000004
【図３】
2007213624.tif 000005